(57)【要約】【課題】  暗い環境での視聴による目の疲れ等を防ぐため、番組内容に応じて周囲の照明環境を自動的に制御するようにし、視聴者の目の保護に寄与する番組受信システム及び番組受信装置を提供する。【解決手段】  番組提供者側から、視聴環境を指示する視聴環境情報を多重したテレビジョン信号を伝送する伝送し、それを受けて受信機側では、前記テレビジョン信号に含まれる視聴環境情報を抽出するとともに、抽出した視聴環境情報を利用して照明装置を制御する信号を発生し、指示された視聴環境に近づくように前記照明装置を制御する。これにより、明るい環境での視聴が指示されたときは照明を自動的に明るくすることができる。【選択図】  図３
2005295262.tif 000002
【特許請求の範囲】
【請求項１】
番組提供者側から、視聴環境を指示する視聴環境情報を多重したテレビジョン信号を伝送する伝送手段と、
伝送された前記テレビジョン信号受信して前記視聴環境情報を抽出するとともに、抽出した視聴環境情報を利用して照明装置を制御する信号を発生し、前記番組提供者側から指示された視聴環境に近づくように前記照明装置を制御する手段を有する受信手段とから成る番組受信システム。
【請求項２】
番組提供者側から視聴環境を指示する視聴環境情報を多重したテレビジョン信号を伝送し、そのテレビジョン信号を受信して視聴環境を自動調整する番組受信装置であって、
前記伝送されたテレビジョン信号を受信して映像信号及び音声信号を復調し、前記映像信号及び音声信号を処理して出力する主信号処理回路と、
前記受信したテレビジョン信号に含まれている視聴環境情報を抽出する抽出回路と、
前記抽出回路によって抽出した視聴環境情報を基に、現時点での視聴環境と番組提供者側が指示する視聴環境とを比較し、番組提供者側が指示する視聴環境と異なる場合に、指示された視聴環境に近づくように照明装置を制御する制御信号を生成する照明コントローラとを具備したことを特徴とする番組受信装置。
【請求項３】
前記視聴環境情報は、番組提供者側から伝送されたテレビジョン信号に重畳されたを番組情報の中に含まれていることを特徴とする請求項２記載の番組受信装置。
【請求項４】
前記視聴環境情報は、番組提供者側から伝送されたテレビジョン信号の垂直帰線期間に重畳されていることを特徴とする請求項２記載の番組受信装置。
【請求項５】
前記照明コントローラは、前記現時点での視聴環境と番組提供者側が指示する視聴環境とを比較する場合、前記番組受信装置周辺の明るさを検出し、この検出結果をもとに番組提供者側が指示する視聴環境に近づくように前記照明装置を制御することを特徴とする請求項２記載の番組受信装置。
【請求項６】
前記照明コントローラは、ユーザの設定したモードに応答して動作し、ユーザが自動モードに設定した場合には、前記指示された視聴環境に近づくように照明装置を自動制御するととも、ユーザが自動モードに設定していないときには照明装置の制御を行わないようにしたことを特徴とする請求項２記載の番組受信装置。
【請求項７】
前記番組提供者側が指示する視聴環境に近づくように前記照明装置を制御する際、前記映像信号又は音声信号にメッセージ信号を付加して報知する手段をさらに備えたことを特徴とする請求項２記載の番組受信装置。
【請求項８】
前記照明コントローラ及前記照明装置は無線又は有線にて結合してなることを特徴とする請求項２記載の番組受信装置。
【請求項９】
番組提供者側から視聴環境を指示する視聴環境情報を多重したテレビジョン信号を伝送し、そのテレビジョン信号を受信して視聴環境を自動調整する番組受信装置であって、
前記伝送されたテレビジョン信号を受信して記録する信号記録回路と、
前記信号記録回路によって記録されたテレビジョン信号から映像信号及び音声信号を再生して出力する主信号再生回路と、
前記信号記録回路によって記録されたテレビジョン信号に含まれている視聴環境情報を抽出する抽出回路と、
前記抽出回路によって抽出した視聴環境情報を基に、現時点での視聴環境と番組提供者側が指示する視聴環境とを比較し、番組提供者側が指示する視聴環境と異なる場合に、指示された視聴環境に近づくように照明装置を制御する制御信号を生成する照明コントローラとを具備したことを特徴とする番組受信装置。
【請求項１０】
番組提供者側から、日付時刻情報及び視聴環境を指示する視聴環境情報を多重したテレビジョン信号を伝送し、そのテレビジョン信号を受信して視聴環境を自動調整する番組受信装置であって、
前記伝送されたテレビジョン信号を受信して映像信号及び音声信号を復調し、前記映像信号及び音声信号を処理して出力する主信号処理回路と、
前記受信したテレビジョン信号に含まれている前記日付時刻情報及び視聴環境情報を抽出する抽出回路と、
前記抽出した日付時刻情報を利用して現時点での視聴環境を判断するとともに、前記抽出した視聴環境情報をもとに、現時点での視聴環境と番組提供者側が指示する視聴環境とが異なる場合に、指示された視聴環境に近づくように照明装置を制御する制御信号を生成する照明コントローラとを具備したことを特徴とする番組受信装置。
【請求項１１】
前記照明コントローラは、前記照明装置の点灯状態を検出し、この検出結果と前記日付時刻情報をもとに前記現時点での視聴環境を判断することを特徴とする請求項１０記載の番組受信装置。
【請求項１２】
番組提供者側から、日付時刻情報及び視聴環境を指示する視聴環境情報を多重したテレビジョン信号を伝送し、そのテレビジョン信号を受信して視聴環境を自動調整する番組受信装置であって、
前記伝送されたテレビジョン信号を受信して記録する信号記録回路と、
前記信号記録回路によって記録されたテレビジョン信号から映像信号及び音声信号を再生して出力する主信号再生回路と、
前記信号記録回路によって記録されたテレビジョン信号に含まれている前記日付時刻情報及び視聴環境情報を抽出する抽出回路と、
前記抽出した日付時刻情報を利用して現時点での視聴環境を判断するとともに、前記抽出した視聴環境情報をもとに、現時点での視聴環境と番組提供者側が指示する視聴環境とが異なる場合に、指示された視聴環境に近づくように照明装置を制御する制御信号を生成する照明コントローラとを具備したことを特徴とする番組受信装置。
【請求項１３】
番組提供者側から視聴環境を指示する視聴環境情報を多重したテレビジョン信号を伝送し、そのテレビジョン信号を受信して視聴環境を自動調整する番組受信装置であって、
前記伝送されたテレビジョン信号を受信して映像信号及び音声信号を復調し、前記映像信号及び音声信号を処理して出力する主信号処理回路と、
前記受信したテレビジョン信号に含まれている視聴環境情報を抽出する抽出回路と、
番組受信装置の周辺の明るさを検出する光センサーと、
前記抽出回路によって抽出した視聴環境情報と光センサによる検出結果を基に、現時点での視聴環境と番組提供者側が指示する視聴環境とを比較するマイクロコンピュータと、
前記マイクロコンピュータの比較結果に応答して、現時点での視聴環境と番組提供者側が指示する視聴環境と異なる場合に、指示された視聴環境に近づくように照明装置を制御する制御信号を生成する照明コントローラとを具備したことを特徴とする番組受信装置。
【請求項１４】
番組提供者側から視聴環境を指示する視聴環境情報を多重したテレビジョン信号を伝送し、そのテレビジョン信号を受信して視聴環境を自動調整する番組受信装置であって、
前記伝送されたテレビジョン信号を受信して記録する信号記録回路と、
前記信号記録回路によって記録されたテレビジョン信号から映像信号及び音声信号を再生して出力する主信号再生回路と、
前記信号記録回路によって記録されたテレビジョン信号に含まれている視聴環境情報を抽出する抽出回路と、
番組受信装置の周辺の明るさを検出する光センサーと、
前記抽出回路によって抽出した視聴環境情報と光センサによる検出結果を基に、現時点での視聴環境と番組提供者側が指示する視聴環境とを比較するマイクロコンピュータと、
前記マイクロコンピュータの比較結果に応答して、現時点での視聴環境と番組提供者側が指示する視聴環境と異なる場合に、指示された視聴環境に近づくように照明装置を制御する制御信号を生成する照明コントローラとを具備したことを特徴とする番組受信装置。
【発明の詳細な説明】
【技術分野】
【０００１】
本発明は、テレビジョン受信機やＶＴＲ等の番組受信システム及び番組受信装置に関し、特に表示番組の内容に応じて視聴環境を制御可能にしたものである。
【背景技術】
【０００２】
従来、番組受信装置として、テレビジョン受信機があり、例えばＣＲＴ（陰極線管）や液晶パネル、プラズマディスプレイ等のディスプレイ装置を用いたものがある。このようなテレビジョン受像機にあっては、輝度、コントラスト、画質、色相等の調整をユーザが行い、視聴環境（例えば照明の明暗）に応じて画面の明るさを明るくしたり、暗くしたりしていた。一方、テレビジョン受像機で視聴する番組の中には、視聴条件をその番組内容に適した状態に設定した方が良い番組もある。例えば、子供向けのアニメ番組は、場面の明るさが急変したりするため、視覚上、好ましくない場合は、「画面を見るときはテレビから○○メートル以上離れて下さい」とか、「部屋を明るくして見て下さい」といったテロップを流し、視聴者にメッセージするようにしている。
【０００３】
又、特許文献１には、表示手段の周辺の明るさレベルを検知する検知手段を設け、周囲の明るさレベルが所定値未満の場合には、「目の健康のために照明を点灯しましよう」等のメッセージを表示し、視聴者に知らせるようにしたものがある。
【０００４】
また、特許文献２には、受信した番組の種別（例えば、ニュースや映画といったジャンル）に応じて、最適な画質レベル（コントラスト、輝度、シャープネス等）を設定し、視聴者が所望する最適な画質に自動調整する例もある
【特許文献１】特開２０００−６９３９２号公報（第４〜５頁、図１）
【特許文献２】特開２００２−１５８９４１号公報（第３〜６頁、図１）
【発明の開示】
【発明が解決しようとする課題】
【０００５】
従来のテロップを流して視聴者に警告する方法、あるいは周辺の明るさレベルを検知する検知手段を設けてメッセージを表示し、視聴者に知らせる例では、視聴者がテロップやメッセージを読まなかった場合や警告を無視した場合には、最適環境で視聴することができないという不都合があった。又、受信した番組の種別に応じて、最適な画質レベル（コントラスト、輝度、シャープネス等）に設定する方法であっても、表示画面の明るさ等を制御するだけであるため、視聴環境を自動的に制御することはできず、視聴者の目の保護を図る上では不充分であった。
本発明は、このような問題に鑑み、番組内容に応じて視聴環境、例えば周囲の照明環境を自動的に制御することによって、視聴者の目の保護に寄与する番組受信システム及び番組受信装置を提供することを目的とする。
【課題を解決するための手段】
【０００６】
本発明は、番組提供者側から、視聴環境を指示する視聴環境情報を多重したテレビジョン信号を伝送する伝送手段と；伝送された前記テレビジョン信号受信して前記視聴環境情報を抽出するとともに、抽出した視聴環境情報を利用して照明装置を制御する信号を発生し、前記番組提供者側から指示された視聴環境に近づくように前記照明装置を制御する手段を有する受信手段とから成る番組受信システムである。
【０００７】
又、本発明は、番組提供者側から視聴環境を指示する視聴環境情報を多重したテレビジョン信号を伝送し、そのテレビジョン信号を受信して視聴環境を自動調整する番組受信装置であって、前記伝送されたテレビジョン信号を受信して映像信号及び音声信号を復調し、前記映像信号及び音声信号を処理して出力する主信号処理回路と；前記受信したテレビジョン信号に含まれている視聴環境情報を抽出する抽出回路と；前記抽出回路によって抽出した視聴環境情報を基に、現時点での視聴環境と番組提供者側が指示する視聴環境とを比較し、番組提供者側が指示する視聴環境と異なる場合に、指示された視聴環境に近づくように照明装置を制御する制御信号を生成する照明コントローラとを具備したことを特徴とする番組受信装置である。
【発明の効果】
【０００８】
本発明によれば、番組提供者側が推奨する視聴状態で番組を視聴することが可能になる。
【発明を実施するための最良の形態】
【０００９】
以下、図面を参照しながら本発明に係る番組受信システム及び番組受信装置について詳細に説明する。
【実施例１】
【００１０】
図１は、本発明の番組受信システム及び番組受信装置の一実施形態の概略を説明する全体的な構成図である。
【００１１】
図１において、１は受信装置であり、放送局等の番組提供者側から送信されたテレビジョン信号を受信し、その番組を画面２に表示するもので、例えばテレビジョン受信機である。また、３は照明装置であり、テレビジョン受信機１から送信される制御信号に応答して点灯状態や照度の調整が可能となっている。
【００１２】
本発明は、このようにテレビジョン受信機１から送信される制御信号に応答して照明装置３を制御するものであるが、具体的には番組提供者側から送信されるテレビジョン信号に含まれる視聴環境情報に従って照明装置３を制御するようにしている。即ち、放送局から送信される信号には、例えばＥＰＧ等の番組情報が含まれ、この番組情報に埋め込まれた視聴環境情報を抽出してテレビジョン受信機１及び照明装置３を制御するようにしている。
【００１３】
送られてくるテレビジョン信号は、例えば図２に示すように、映像・音声信号のほかに番組情報が送られ、その番組情報には、現在の日付時刻情報、チャンネル情報、個々の番組案内等のほかに視聴環境情報が埋め込まれている。
【００１４】
図３は、テレビジョン受信機１及び照明装置３の具体例を示すブロックである。図３において、１１はアンテナであり、このアンテナ１１で受信したテレビジョン信号をチューナ１２で選局し、選局された信号は次段の選択回路１４に供給される。選択回路１４には、外部入力端子１３からのテレビジョン信号も供給され、いずれかの信号が選択されて復調回路１５に供給される。
【００１５】
復調回路１５は、入力されたテレビジョン信号を処理し、主信号である映像信号、音声信号をそれぞれ分離して出力するとともに、同期分離回路１５１によって同期信号を分離して出力する。
【００１６】
分離された映像信号は、映像信号処理回路１６に供給され、輝度、コントラスト等の調整が行われる。また音声信号は音声信号処理回路１７に供給され、音量等の調整が行われる。
【００１７】
映像信号処理回路１６からの映像信号はさらに合成回路１８を介してディスプレイ１９に供給される。尚ディスプレイ１９としては、陰極線管、液晶ディスプレイ、プラズマディスプレイ等が用いられる。
【００１８】
又、前記同期分離回路１５１で分離された同期信号は、ディスプレイ１９を駆動するためのドライブ回路２０に供給される。このドライブ回路２０は、ディスプレイ１９が陰極線管の場合は、水平・垂直偏向回路であり、液晶やプラズマディスプレイの場合には水平・垂直の走査電極を駆動する回路である。
【００１９】
また、復調回路１５は番組情報抽出回路２１に接続されており、番組情報抽出回路２１では番組情報（ＥＰＧデータ）を抽出する。これによって抽出された番組情報はマイクロコンピュータ２２（以下マイコン２２と称す）に供給され、マイコン２２は、ＥＰＧデータを利用してディスプレイ１９の画面上に番組表を表示したり、さらに番組情報の中の視聴環境情報を抽出してディスプレイ１９の画面上に警告メッセージを表示したりする。このため、例えばキャラクタゼネレータ２４が設けられており、マイコン２２の制御のもとに各種の文字・図形データを合成回路１８に供給し、オンスクリーン表示を可能にしている。
【００２０】
また、前記抽出された視聴環境情報を基に、マイコン２２は照明コントローラ２５を制御するようにしている。照明コントローラ２５は、周囲の視聴環境に照らして照明装置３を制御するもので、送信機２６を有し、この送信機２６から照明装置３の点灯・消灯、又は照度を調整する制御信号を送信する。一方、照明装置３は受信機３１を備え、送信機２６からの制御信号を受信し、それに応答して照明装置３は制御されるようになっている。
【００２１】
また、２３は光センサであり、テレビジョン受信機１の周囲の明るさを検知し、マイコン２２に知らせるものである。また、２７はリモコンであり、テレビジョン受信機１の制御等に利用される。リモコン２７は、例えば、チャンネル選択キーや表示画面の明るさ、コントラスト、画質、音量、音質等の各種調整キーのほか、照明装置３を自動的に制御するか否かを指示するモードスイッチ２７１を有している。尚、このモードスイッチ２７１は、テレビジョン受信機１の本体側に設けても良い。
【００２２】
また、照明装置３は、送信機２６から無線送信される制御信号を受信するものであるが、送信機２６から伝送される信号は、赤外線等の光信号や、電波（ＲＦ信号）等が用いられる。また、無線通信のほかに有線による送受信も可能であり、家電ネットワークを介してテレビジョン受信機１と照明装置３間を通信制御するようにしても良いが、以下の説明では、無線通信を例に説明する。
【００２３】
次に、このような構成の番組表示システム（又は番組表示装置）の動作を説明する。本発明のシステムでは、テレビジョン受像機１がオンし、各回路（１２〜２０）が動作してディスプレイ上に映像が表示される。一方、番組情報抽出回路２１は、放送局から送信されたテレビジョン信号の中から、番組情報（ＥＰＧデータ）を分離して抽出し、マイコン２２に供給する。マイコン２２は、前記モードスイッチ２７１が自動モードにある場合、番組情報の中からさらに視聴環境情報を抜き出し、照明コントローラ２５を制御する。
【００２４】
前記視聴環境情報には、送られてくる番組の内容に合わせて、周囲環境を制御すべきか否かを表す指示信号（コード）が含まれており、マイコン２２は、この指示信号をもとに、番組視聴上、適正な周囲環境に変更すべきか否かを決定する。即ち、子供向けアニメ番組である場合は、明るい部屋で視聴することが望ましいため、番組提供者側からは、視聴時に明るい環境で見ることを指示する視聴環境情報が番組情報の中に埋め込まれて送信される。
【００２５】
マイコン２２によって、視聴環境情報が抽出された場合、マイコン２２は、その内容を確認し、上記指示信号に基いて周囲環境を変更するように動作を開始する。即ち、マイコン２２は、先ず前記指示信号をもとに受信した番組が視聴環境の変更を指示しているかどうかを調べる。そして視聴環境情報が、明るい環境で見るように指示している場合には、現在の視聴環境が指示された環境と合っているか否かを調べる。例えば、光センサ２３で検出した周囲光レベルを基に視聴環境を判断することができ、指示された視聴環境と異なっている場合は、照明コントローラ２５を制御して指定状態になるように照明装置３を制御する。
【００２６】
例えば、明るい部屋で視聴するように指定されている場合、テレビジョン受信機１が置かれている環境が明るいかどうか調べ、暗い場合には部屋を明るくするように照明装置３を点灯したり、照度を高くするように制御する。尚、制御する際に視聴者に音声または表示でアナウンスしても良い。又、このアナウンスがあり、前記モードスイッチ２７１の操作により、視聴者が自動モードを解除した場合には、照明装置３を自動制御するのを中止するようにしても良い。こうして、照明装置３を視聴環境の状態に応じて自動制御することにより、例えば子供向けアニメ番組の視聴時に暗い部屋で視聴することを防ぐことができる。したがって、単にテロップで明るい部屋での視聴を訴えるよりも確実に明るい環境での視聴を実現でき、目の保護に役立つ。
【００２７】
図４は、本発明の周囲環境の制御を説明するためのフローチャートである。図４において、マイコン２２は、前記モードスイッチ２７１が自動モードにあるか否かを判別する（ステップＳ１）。自動モードにある場合、ステップＳ２において番組情報（ＥＰＧデータ）を抽出し、さらにステップＳ３で視聴環境情報を抜き出す。
【００２８】
次に、ステップＳ４では、視聴環境の変更が指示されているか否かを判別し、次のステップＳ５では指示されている視聴環境情報があるか否かを判別する。指示されている視聴環境情報がある場合、ステップＳ６に移行し、マイコン２２は、現在の視聴環境が指示された環境と合っているか否かを調べ、指示された視聴環境と異なっている場合は、ステップＳ７において、照明コントローラ２５を制御して指定状態になるように照明装置３を制御する。尚、この制御の際に視聴者に音声または表示でアナウンス（報知）し、視聴者が自動モードを解除した場合には、照明装置３の制御を中止するようにしても良い。
【００２９】
尚、ステップＳ１において自動モードに設定されていない場合、ステップＳ４において視聴環境の変更が指示されていない場合、ステップＳ５において指示された視聴環境情報がない場合、さらにステップＳ６において現在の視聴環境と指示された視聴環境が合っている場合は、ステップＳ８に進み処理は終了する。
【実施例２】
【００３０】
図５は本発明の第２の実施形態を示す動作フローチャートを示している。即ち、図３、図４の実施形態では、光センサー２３を有するテレビジョン受信機１を例に説明したが、図５では光センサ２３を用いずに番組情報に含まれる時刻情報を利用して、視聴環境を制御するものである。
【００３１】
図５は、図４のフローチャートの、ステップＳ６を、時刻情報を用いて判断するステップを示している。即ち、現在の視聴環境と指示された視聴環境が合っているか否かを判断する場合、マイコン２２は、ステップＳ６１において番組情報（ＥＰＧデータ）に含まれている時刻情報を抽出する。次にステップＳ６２において、時刻情報を基に日没時刻か否かを判別し、日没時刻である場合はステップＳ６３に進む。ステップＳ６３において、マイコン２２は照明コントローラ２５の状態を調べ、照明装置３に対し点灯指示が行われているか否かを判別し、点灯していない場合は、ステップＳ７に進み照明装置３を点灯制御する。また、ステップＳ６２において、日没後ではないと判断した場合はステップＳ６４で明るいと判断し、ステップＳ８に進み処理を終了する。同様にステップＳ６３において、既に照明装置３に点灯の指示を行っている場合は、ステップＳ６４で明るいと判断し、ステップＳ８に進み処理を終了する。尚、図５のステップＳ７，Ｓ８は、図４のステップＳ７，Ｓ８と同じ処理が行われる。
【００３２】
尚、ステップＳ６２において、日没時間の判断は季節によってずれるため、番組情報に含まれる時刻情報以外に、日付情報をも取り入れることにより、より確実に日没の時間が判別できる。
【実施例３】
【００３３】
図６は、本発明の第３の実施形態における番組受信装置を示すもので、録画再生装置に適用した場合を示している。即ち、番組提供者側から送られてきた信号をＶＴＲ等の録画再生装置に記録し、そのあとで再生して視聴する場合を考慮したものである。
図６は、第３の実施形態の概略構成を示すものであり、送られてきた信号をＶＴＲ４で受信して録画し、再生した信号をテレビジョン受信機１で視聴する場合を示している。即ち、送られてきた番組を一旦ＶＴＲ４で録画し、あとで再生するケースに対処したものである。この場合、ＶＴＲ４で視聴環境情報を同時に記録しておき、再生時にその情報をもとに照明機器３を制御するようにしている。
【００３４】
図７は、ＶＴＲ４の内部構成を示すブロック図である。図７において、４１はアンテナであり、このアンテナ４１で受信したテレビジョン信号をチューナ４２で選局し、選局された信号は復調回路４３に供給される。
【００３５】
復調回路４３は、入力されたテレビジョン信号を処理し、映像信号、音声信号をそれぞれ分離して出力する。分離された映像信号・音声信号は信号記録回路４４に供給され、テープ４５に記録される。又、４６は信号再生回路であり、テープ４５に記録された映像信号及び音声信号等を再生して出力する。映像信号及び音声信号は、映像信号処理回路４７、音声信号処理回路４８に供給され、映像信号処理回路４７からの映像信号はさらに合成回路４９を介して映像出力端子５０に供給される。また、音声信号処理回路４８の出力は音声出力端子５１に供給される。
【００３６】
また、信号再生回路４６は番組情報抽出回路５２に接続されており、番組情報抽出回路５２では番組情報（ＥＰＧデータ）を抽出する。これによって抽出された番組情報はマイクロコンピュータ５３（以下マイコン５３と称す）に供給され、マイコン５３は、番組情報の中の視聴環境情報を抽出する。又、警告メッセージを表示するため、キャラクタゼネレータ５４が設けられており、マイコン５３の制御のもとに各種の文字・図形データを合成回路４９に供給し、テレビジョン受信機１で再生画面を見るときにオンスクリーン表示できるようにしている。
【００３７】
また、前記抽出された視聴環境情報を基に、マイコン５３は照明コントローラ５５を制御するようにしている。照明コントローラ５５は、周囲の視聴環境に照らして照明装置３を制御するもので、送信機５６を有し、この送信機５６から照明装置３の点灯・消灯、又は照度を調整する制御信号を送信する。
【００３８】
また、５８は光センサであり、ＶＴＲ４の周囲の明るさを検知し、マイコン５３に知らせるものである。また、５７はリモコンであり、ＶＴＲ４の制御に利用される。リモコン５７は、例えば、再生、早送り、巻戻し、停止等の各種操作キーのほか、照明装置３を自動的に制御するか否かを指示するモードスイッチ５７１を有している。尚、このモードスイッチ５７１は、ＶＴＲ４の本体側に設けても良い。
【００３９】
また、照明装置３は、送信機５６から無線送信される制御信号を受信するものであるが、
無線通信のほかに有線による送受信も可能であり、家電ネットワークを介してＶＴＲ４やテレビジョン受信機１と照明装置３間を通信制御するようにしても良い。
【００４０】
このように、ＶＴＲ４に視聴環境情報を抽出する機能を持たせることにより、ＶＴＲ４の再生時に、番組情報の中からさらに視聴環境情報を抜き出し、照明コントローラ５６を制御することができる。例えば子供向けアニメ番組を再生し、暗い部屋で視聴しているような場合には、照明装置３を制御して部屋を明るくすることができ、録画された信号を再生する状況においても確実に指定された状態で視聴することができる。尚、図６では録画再生装置としてＶＴＲ４を用いた例を示しているが、ＶＴＲに限るものではない。
【００４１】
又、以上の説明では、視聴環境情報をＥＰＧ等の番組情報に埋め込んで伝送する例を述べたが、垂直帰線消去期間（ＶＢＩ）に重畳して伝送するようにしても良い。
【図面の簡単な説明】
【００４２】
【図１】この発明の番組受信システムの一実施形態を示す概略構成図。
【図２】視聴環境情報の伝送形態の一例を説明する説明図。
【図３】本発明の番組受信装置をテレビジョン受像機に適用した場合のブロック図。
【図４】図３の動作を説明するフローチャート。
【図５】本発明の他の実施形態での動作を説明するフローチャート。
【図６】この発明の番組受信システムの他の実施形態を示す概略構成図。
【図７】本発明の番組受信装置をＶＴＲに適用した場合のブロック図。
【符号の説明】
【００４３】
１  テレビジョン受信機
３  照明装置
４  ＶＴＲ
１２  チューナ
１５  復調回路
２１  番組情報抽出回路
２２  マイクロコンピュータ
２３  光センサ
２５  照明コントローラ
２６  送信機
２７  リモコン
２７１  モードスイッチ
３１  受信機
【図１】
2005295262.tif 000003
【図２】
2005295262.tif 000004
【図３】
2005295262.tif 000005
【図４】
2005295262.tif 000006
【図５】
2005295262.tif 000007
【図６】
2005295262.tif 000008
【図７】
2005295262.tif 000009